(57)【要約】【課題】排水用凹部に流れ込んだ排水で、その排水用凹部内の汚れを効果的に洗浄できる構成を備えた新たな排水装置を提供する。【解決手段】排水装置２５０は、シンク１０の内部で部分的に凹んでいる排水ボウル３２と、排水ボウル３２の底部に形成された排水口６２と、排水口の近傍で回転することで洗浄水流を生成させるとともに、排水口から下方へ向かう排水の流れを回転数に応じて妨げるように構成された羽根車８８と、シンク１０で用いる水を供給する給水機構２５２と、給水機構の途中の第１経路に設けられ、該第１経路における水の流れで回転する第１の水車２７０と、給水機構の途中の、第１経路と異なる第２経路に設けられ、該第２経路における水の流れで回転する第２の水車２７２と、第１の水車２７０及び第２の水車２７２の少なくとも一方の回転力を羽根車８８に伝達する回転力伝達機構２７４と、を備える。【選択図】図１３
2015178731.tif 000002
【特許請求の範囲】
【請求項１】
水受槽の内部で部分的に凹んでいる排水用凹部と、
排水用凹部の底部に形成された排水口と、
前記排水口の近傍で回転することで洗浄水流を生成させるとともに、前記排水口から下方へ向かう排水の流れを回転数に応じて妨げるように構成された回転体と、
前記水受槽で用いる水を供給する給水機構と、
前記給水機構の途中の第１経路に設けられ、該第１経路における水の流れで回転する第１の水車と、
前記給水機構の途中の、前記第１経路と異なる第２経路に設けられ、該第２経路における水の流れで回転する第２の水車と、
前記第１の水車及び前記第２の水車の少なくとも一方の回転力を前記回転体に伝達する回転力伝達機構と、
を備える排水装置。
【請求項２】
前記第１経路及び第２経路は、一方を通過した水が他方を通過しないで水受槽に給水されるように構成されていることを特徴とする請求項１に記載の排水装置。
【請求項３】
前記回転力伝達機構は、
前記回転体と一体的に回転するように設けられた回転体磁石と、
前記第１の水車と一体的に回転するように設けられた第１水車磁石と、
前記第２の水車と一体的に回転するように設けられた第２水車磁石と、を備え、
前記回転体磁石、前記第１水車磁石及び前記第２水車磁石は、隣接する磁石にトルク伝達が可能な磁気的吸引力が働く間隔で配置されていることを特徴とする請求項１または２に記載の排水装置。
【請求項４】
前記第１の水車は、前記第２の水車と比較して同じ給水流量での回転数が異なるように構成されていることを特徴とする請求項１乃至３のいずれか１項に記載の排水装置。
【請求項５】
前記給水機構は、
前記第１経路を経た水が吐出される第１の水栓と、
前記第２経路を経た水が前記第１経路を経た水と混ざらずに吐出される第２の水栓と、  を有することを特徴とする請求項１乃至４のいずれか１項に記載の排水装置。
【請求項６】
前記給水機構は、前記第１経路を経た水と前記第２経路を経た水とが合流して吐出される水栓を有することを特徴とする請求項１乃至４のいずれか１項に記載の排水装置。
【請求項７】
前記給水機構は、
前記第１経路及び前記第２経路へ流す水の流量を調整する調整弁と、
前記水栓から吐出される水の流量と相関のある流量情報を検出する検出手段と、
検出した前記流量情報に基づいて前記調整弁の開閉切替えまたは開度を制御する制御手段と、
を有することを特徴とする請求項６に記載の排水装置。
【発明の詳細な説明】
【技術分野】
【０００１】
本発明は、排水装置に関し、例えば、シンクを備えた流し台等に適用して好適な排水装置に関する。
【背景技術】
【０００２】
通常、流し台等の排水装置は、水受槽の底部の一部を下向きに凹ませて構成された排水用凹部を有し、この排水用凹部に水受槽内の水を流入させ、排水用凹部の底部に形成した排水口から排水するようにしている。例えば、流し台においては、水受槽としてのシンクの底部の一部を下向きに凹ませて構成された排水ボウル（排水用凹部）に、シンク内の水を流入させ、その底部に形成した排水口から外部に排水するようにしている。一般に流し台の排水ボウル内には、生ごみ等を入れるごみ籠が収容され、このごみ籠が排水ボウル内に保持されている。
【０００３】
この種の排水用凹部の内面には、栄養分を取り込んで増殖した菌類やその死骸またその代謝物等が堆積することによるヌメリが生じがちである。このようなヌメリその他の油分等の汚れが付着した状態は非衛生的であり、また悪臭の元となる。
【０００４】
排水用凹部に排水を流入させた上、排水用凹部の排水口から排水する形式の排水装置として、従来種々のものが知られている。例えば、特許文献１には「渦巻き排水口」についての発明が開示されている。この渦巻き排水口は、ヘアキャッチャーを収容する排水用凹部の内部に羽根車が回転可能に設けられており、排水用凹部に流れ込んだ排水により羽根車を回転させることで渦巻き水流を発生させ、その渦巻き水流にて洗浄を行うものである。
【０００５】
また、特許文献２には「水槽底部の排水栓装置」についての発明が開示されている。この排水栓装置は、排水口を開閉する排水栓の回転軸部から放射状に延びた複数の回転羽根が設けられており、排水通路内に流入する排水の作用で回転羽根が勢い良く回転することで排水に旋回流を生ぜしめるものである。
【０００６】
更に特許文献３には「遠隔操作式排水栓」についての発明が開示されている。この遠隔操作式排水栓は、特許文献２に開示の発明と同様に、排水口を開閉する排水栓の回転軸部から放射状に延びた回転羽根が設けられており、排水口から排水通路内に流れ込む排水の流れで回転羽根を栓体と一体に回転させるようになしたものである。
【先行技術文献】
【特許文献】
【０００７】
【特許文献１】特開２００７−１９８１３０号公報
【特許文献２】特開平９−２６８６２３号公報
【特許文献３】特開平９−３１６９５６号公報
【発明の概要】
【発明が解決しようとする課題】
【０００８】
しかしながら、上述の各特許文献に開示の発明は、排水用凹部内で回転羽根を回転させることは可能であるが、いずれの場合も排水が速やかに排出されてしまい、排水による洗浄水流を十分に生成させることができない。
【０００９】
本発明はこうした状況に鑑みてなされており、その目的とするところは、排水用凹部に流れ込んだ排水で、その排水用凹部内の汚れを効果的に洗浄できる構成を備えた新たな排水装置を提供することにある。
【課題を解決するための手段】
【００１０】
上記課題を解決するために、本発明のある態様の排水装置は、水受槽の内部で部分的に凹んでいる排水用凹部と、排水用凹部の底部に形成された排水口と、排水口の近傍で回転することで洗浄水流を生成させるとともに、排水口から下方へ向かう排水の流れを回転数に応じて妨げるように構成された回転体と、水受槽で用いる水を供給する給水機構と、給水機構の途中の第１経路に設けられ、該第１経路における水の流れで回転する第１の水車と、給水機構の途中の、第１経路と異なる第２経路に設けられ、該第２経路における水の流れで回転する第２の水車と、第１の水車及び第２の水車の少なくとも一方の回転力を回転体に伝達する回転力伝達機構と、を備える。
【００１１】
この態様によると、第１の水車または第２の水車のいずれかが適正に回転する給水流量であれば、適正な回転力が回転体に伝達され、広範な範囲の給水流量に対して、排水用凹部で洗浄水流を効率的に生成することができる。
【００１２】
第１経路及び第２経路は、一方を通過した水が他方を通過しないで水受槽に給水されるように構成されていてもよい。これにより、例えば、各経路に接続された複数の水栓のそれぞれに適した水車を用いることが容易となる。
【００１３】
回転力伝達機構は、回転体と一体的に回転するように設けられた回転体磁石と、第１の水車と一体的に回転するように設けられた第１水車磁石と、第２の水車と一体的に回転するように設けられた第２水車磁石と、を備えてもよい。回転体磁石、第１水車磁石及び第２水車磁石は、隣接する磁石にトルク伝達が可能な磁気的吸引力が働く間隔で配置されていてもよい。これにより、第１経路と第２経路とを確実に隔てながら、回転力を伝達できる。
【００１４】
第１の水車は、第２の水車と比較して同じ給水流量での回転数が異なるように構成されていてもよい。これにより、異なる給水流量に対応できる。
【００１５】
給水機構は、第１経路を経た水が吐出される第１の水栓と、第２経路を経た水が第１経路を経た水と混ざらずに吐出される第２の水栓と、を有してもよい。これにより、用途や適正流量が異なる水栓を用いることができる。
【００１６】
給水機構は、第１経路を経た水と第２経路を経た水とが合流して吐出される水栓を有してもよい。これにより、１つの水栓から吐出された小流量から大流量までの排水で適正な洗浄効果が得られる。
【００１７】
給水機構は、第１経路及び第２経路へ流す水の流量を調整する調整弁と、水栓から吐出される水の流量と相関のある流量情報を検出する検出手段と、検出した流量情報に基づいて調整弁の開閉切替えまたは開度を制御する制御手段と、を有してもよい。これにより、１つの水栓から吐出された小流量から大流量までの排水で適正な洗浄効果が得られる。
【発明の効果】
【００１８】
本発明によれば、排水用凹部に流れ込んだ排水で、その排水用凹部内の汚れを効果的に洗浄できる。
【図面の簡単な説明】
【００１９】
【図１】第１の実施の形態に係る排水装置を含むシンクとその周辺部を示す斜視図である。
【図２】図１に示す排水装置の要部断面図である。
【図３】図２に示す排水ボウル及びその周辺部を拡大して示した断面図である。
【図４】図３示す排水ボウルの底部を更に拡大して示した図である。
【図５】図２に示す水車ユニット及びその周辺部を拡大して示した断面図である。
【図６】本実施の形態に係る回転軸と外筒との嵌合部分を分解して示した図である。
【図７】本実施の形態に係る水車ユニットの分解斜視図である。
【図８】図５のイ−イ断面図である。
【図９】本実施の形態に係るノズルの形状を示した図である。
【図１０】図１０（Ａ）〜図１０（Ｃ）は、本実施の形態に係る羽根車を示す図である。
【図１１】図１１（Ａ）、図１１（Ｂ）は、本実施の形態に係る羽根車の作用を説明するための図である。
【図１２】本実施の形態に係る効果を説明するために水車及び羽根車の回転数と水量との関係を模式的に示した図である。
【図１３】第２の実施の形態に係る排水装置の概略を示す模式図である。
【図１４】回転力伝達機構の一例を説明するための要部断面図である。
【図１５】第２の実施の形態に係る水車及び羽根車の回転数と水量との関係を模式的に示した図である。
【図１６】第３の実施の形態に係る排水装置の概略を示す模式図である。
【図１７】第３の実施の形態に係る水車及び羽根車の回転数と水量との関係を模式的に示した図である。
【図１８】第４の実施の形態に係る排水装置の概略を示す模式図である。
【図１９】第４の実施の形態に係る水車及び羽根車の回転数と水量との関係を模式的に示した図である。
【発明を実施するための形態】
【００２０】
以下、図面を参照しながら、本発明を実施するための最良の形態について詳細に説明する。なお、図面の説明において同一の要素には同一の符号を付し、重複する説明を適宜省略する。
【００２１】
（第１の実施の形態）
図１は、第１の実施の形態に係る排水装置を含むシンクとその周辺部を示す斜視図である。図１に示すシンク（水受槽）は、流し台（不図示）に備えられる。シンク１０には、流し台水栓（以下、単に「水栓」と称する。）１２が設けられている。ここで水栓１２はシシグルレバー式の混合水栓である。水栓１２は、シンク１０の頂面から起立する水栓本体１４と、水栓本体１４からシンク１０の中央側に向かって延び出した吐水管１６とを有する。吐水管１６の先端には吐水口１８が設けられている。また、水栓本体１４の内部には、水と湯とを混合する混合部が設けられている。
【００２２】
レバーハンドル２０は、その操作により吐水口１８からの吐水と止水の切替え、及び吐水の流量調節、更に吐水の温度調節が行われる。水栓１２には、水、湯をそれぞれ給水する１次側の２つの給水管２２が接続されている（図１では、一方の給水管２２のみ示され、他方の給水管２２は図示が省略されている）。２次側の給水管２４は、水栓１２の混合部からの水を吐水口１８に導く給水流路を内側に形成するためのものであり、この給水管２４に後述の水車ユニット２５が接続されている。
【００２３】
入側の給水管２４Ａは、混合部から出た水を水車ユニット２５に流入させる。出側の給水管２４Ｂは、水車ユニット２５から流出した水を吐水口１８側に導く。つまり、流出した水は、出側の給水管２４Ｂにて水栓１２の吐水口１８へと導かれ、吐水口１８からシンク１０内に水栓１２からの水として給水される。給水管２４Ａ，２４Ｂは、それぞれの一端部が水車ユニット２５の後述の水車ハウジング２６に接続されている。
【００２４】
図２は、図１に示す排水装置の要部断面図である。図２において、排水用凹部としての排水ボウル３２は、シンク１０の底部３０から下向きに部分的に凹んだ形態で構成された排水用凹部としての排水ボウルである。この排水ボウル３２の下側には排水トラップ３４が設けられている。排水ボウル３２は、上端に径方向外方に環状に張り出したフランジ部３８を有しており、このフランジ部３８が、シール部材１５３，１５４を介して、一対のボウル取付部材１５６，１５７にてシンク１０の底部３０に取り付けられている。詳しくは、ボウル取付部材１５６には挟持部１６０が設けられており、ボウル取付部材１５７には、挟持部１６２が設けられている。そして、ボウル取付部材１５７の外周面の雄ねじと、ボウル取付部材１５６の内周面の雌ねじとのねじ結合により、排水ボウル３２のフランジ部３８が、シンク１０側のフランジ部１５９とともに一対の挟持部１６０，１６２にて上下両側から挟持される。その結果、排水ボウル３２がシンク１０側のフランジ部１５９に固定され、取り付けられる。
【００２５】
排水ボウル３２の内部には、ごみ籠４２が保持されている。ごみ籠４２は、排水ボウル３２の内部に収容された、生ごみ等を入れるものであり、上端部に周方向にリング状をなす枠部（ここでは断面略４角形状である。）４３を有している。この枠部４３を排水ボウル３２の環状の段付部４４に係止させることで、ごみ籠４２が排水ボウル３２内部に保持される。また、ごみ籠４２の下側において羽根車８８が回転可能に設けられている。なお、本実施の形態において、ごみ籠４２の断面略４角形状をなす枠部４３には、ごみ籠４２の中心側に突出した板状の把手１６３が設けられている。また、本実施の形態において、ごみ籠４２は枠部４３を除いた全体が、多数の貫通の通水孔を分散形成して成るパンチングメタルから成っている。
【００２６】
更に本実施の形態において、ごみ籠４２の底部１６４には、その一部を部分的に上向きに凹曲させて成る凹曲部１６８が設けられている。凹曲部１６８は、排水ボウル３２内で羽根車８８周りに多量の滞留水が生じたときに、過剰の滞留水を排水し易くするために、即ち排水性能を高めるべく設けられている。図２に示すように、排水ボウル３２の下側には排水トラップ３４が設けられている。
【００２７】
排水トラップ３４は、トラップ本体をなす外筒３６と、外筒３６の内側に上側から下向きに挿入された内筒４６とを有しており、外筒３６と内筒４６とによって下部に封水４８を保持している。排水トラップ３４は、封水４８を保持することによって排水管５０の側からシンク１０内への臭気の逆流を防止する。
【００２８】
外筒３６には、その上部に排水口（第２の排水口）５８が横向きに設けられており、この排水口５８から円筒形状の接続管５２が突き出している。接続管５２の内部には排水管５０の端部が内嵌状態に嵌合されている。その際、接続管５２及び排水管５０は、それぞれに形成されたフランジ部５４を重ね合わせた状態でその部分がクリップ５６で挟持され、抜止状態に接続されている。ここで内筒４６は、上端と下端とが開口形状とされており、シンク１０からの排水は、内筒４６の上端の開口から内筒４６内に流入して流下し、そしてその下端の開口から、内筒４６と外筒３６との間に流出して、外筒３６の上記横向きの排水口５８から排水管５０へと流出し、外部に排出される。
【００２９】
図３は、図２に示す排水ボウル及びその周辺部を拡大して示した断面図である。図４は、図３示す排水ボウルの底部を更に拡大して示した図である。
【００３０】
本実施の形態では、図２や図３に示すように、排水ボウル３２の底部６０の開口が、平面視において中心から偏心した位置に設けられており、その開口の内側に上記の内筒４６の上端部が配置されている。つまり、本実施の形態において、排水ボウル３２の排水口６２は、底部６０の中心から偏心した位置に配置されている。
【００３１】
図３に示すように、排水ボウル３２は円形の周壁部５９と、底部６０とを有している。底部６０には、その中心部に開口が形成されており、その開口の内側に上記の内筒４６の上端部が配置されている。内筒４６の上端の開口は、排水ボウル３２における排水口６２となるもので、排水ボウル３２内の排水はこの排水口６２を通じて下方に排出される。排水ボウル３２の下端の開口の縁部には、径方向内向きの環状のフランジ部６４が設けられており、そのフランジ部６４に対して、外筒３６の上端部と内筒４６の上端部とが取り付けられている。
【００３２】
トラップ取付部材（以下、単に「取付部材」と称する。）６６，６８は、内筒４６の上端部及び外筒３６の上端部を排水ボウル３２のフランジ部６４に取り付けるためのものであり、いずれも円形のリング状をなしている。これら取付部材６６，６８は、フランジ部７０，７２を有しており、それらフランジ部７０，７２にて排水ボウル３２のフランジ部６４をシール部材１５８を介し上下両側から挟み込んだ状態で、取付部材６６の外周面の雄ねじと、取付部材６８の内周面の雌ねじとがねじ結合されることによって、排水ボウル３２のフランジ部６４に固定されている。
【００３３】
そして、取付部材６６の内周面に対して内筒４６の上端部が嵌合した状態で、内筒４６の上端の係止部７４が、取付部材６６の内面の段付部に係止される。この結果、内筒４６が取付部材６６，６８を介して排水ボウル３２のフランジ部６４に取り付けられ、保持される。なお、内筒４６は取付部材６６に対して、図中上側から下向きに差し込まれることで、取付部材６６に取り付けられ、保持される。より詳しくは、取付部材６６の内周面の１８０°異なった位置のそれぞれに突起１７０が設けられており、内筒４６の外周面には突起１７０に対応する螺旋状の凹条１７２が設けられている。
【００３４】
内筒４６を取り付ける際には、取付部材６６の突起１７０と内筒４６の凹条１７２の下端の開口とを嵌め合わせ、内筒４６を回転させてねじ込む。これにより、内筒４６が、突起１７０と凹条１７２との案内作用で図中下向きに移動する。そして、最終的に上端の係止部７４が取付部材６６の段付部に当接し係止されることで、内筒４６は、取付部材６６に対して軸方向に位置決めされた状態で取り付けられる。
【００３５】
一方、外筒３６は、その上端部が取付部材６８の円筒状の嵌合部７６の内周面に対して嵌合され、外筒３６及び取付部材６８のそれぞれに設けられたフランジ部７８が互いに重ね合わされた状態でクリップ８０により挟持されることで、取付部材６８に取り付けられ、保持される。
【００３６】
なお、内筒４６の上端部からは径方向内方にアーム８２が延び出している。そして、アーム８２の内端部には、後述の回転軸８６が回転可能に嵌入され、これを支持する円筒状の支持部８４が設けられている。
【００３７】
回転軸８６は、排水口６２の内側の中心位置に且つ上下向きに配置されている。排水ボウル３２の内部に設けられた羽根車８８は、回転軸８６の上端部に回転軸８６と一体的に回転するように連結されている。
【００３８】
断面円形をなす回転軸８６は、その上端部に、多角形状をなす係合軸部１７６を有している。係合軸部１７６は、羽根車８８における嵌込孔１４２の奥部の、対応する多角形状の係合孔１７４に嵌め合されて係合しており、それらの係合作用で羽根車８８が回転軸８６と一体に回転するようになっている。なお、羽根車８８の具体的構成や配置される位置及び作用については後述する。
【００３９】
図５は、図２に示す水車ユニット及びその周辺部を拡大して示した断面図である。図６は、本実施の形態に係る回転軸と外筒との嵌合部分を分解して示した図である。
【００４０】
図５に示すように、回転軸８６の下端部には羽根車側磁石１７８が、取付部材１８０にて取り付けられている。本実施の形態において、磁石１７８は中心部に貫通の開口を有する円盤状のもので、その中心軸線を回転軸８６の中心軸線に合致させる状態に配置されている。即ちその盤面を上下方向に向けて配置されている。
【００４１】
取付部材１８０は、下端が開口した形状の本体部１８２と、その下端の開口を閉鎖する蓋部１８４とを有している。磁石１７８は、本体部１８２と蓋部１８４とにより挟持され、取付部材１８０を介して回転軸８６と一体に回転するように取り付けられている。取付部材１８０は、中心部に円形の嵌合孔１８８を有しており、そこにリング状の軸受部材１９０が装着されている。
【００４２】
本実施の形態において、外筒３６は下端が底部１９２にて閉鎖されている。底部１９２には、図６に示すように、その中心部に上向きに突出する支持軸１９４が設けられている。そして、支持軸１９４に対して取付部材１８０が、上記の嵌合孔１８８において軸受部材１９０を介し嵌め合わされており、この取付部材１８０を介し回転軸８６が支持軸１９４により回転可能に支持されている。
【００４３】
外筒３６の下端部には、円筒状をなす外嵌合部１９６が下向きに突出形成されている。一方、外筒３６の下側に配置された水車ユニット２５における水車ハウジング２６には、上端部に内嵌合部１９８が設けられており、その内嵌合部１９８が外嵌合部１９６に内嵌状態に嵌合されている。そして、その嵌合状態で水車ハウジング２６が、取付部材２００にて外筒３６に取り付けられている。
【００４４】
水車ハウジング２６は、上端が開口した形状のハウジング本体２６Ａと、ハウジング本体２６Ａの上端の開口を閉鎖する蓋体２６Ｂとで構成されている。ハウジング本体２６Ａは、水車１１０の回転軸線を中心とした円筒部２０２と、下底部２０４とを有し、水車ハウジング２６の外周壁をなす。蓋体２６Ｂは、上底部２０６を有する。ここで、ハウジング本体２６Ａと蓋体２６Ｂとは、ねじ結合されて組み付けられている。なお、ハウジング本体２６Ａの底部には水抜栓２３６が設けられている。
【００４５】
この水車ハウジング２６の内部に回転可能に収容された水車１１０は、互いに別体をなす下側の第１部材２０８と、上側の第２部材２１０とを組み付けて構成してある。水車１１０の内部には、水車側磁石となる磁石２１４が組み込まれている。水車側磁石２１４は、下側の第１部材２０８と上側の第２部材２１０とによって、上下方向に挟持される状態で水車１１０内部に組み込まれている。
【００４６】
水車側磁石２１４もまた、中心部に貫通の開口を有する円盤状のもので、中心軸線を回転軸８６の中心軸線に合致させる状態に配置されている。そして、磁石２１４が、給水流路の一部を形成する水車ハウジング２６及び外筒３６の底部１９２を隔壁として、その上側位置に配置された羽根車側磁石１７８に対して上下に対向せしめられている。つまり、回転軸８６の軸線方向において、羽根車側磁石１７８と水車側磁石２１４とが所定の距離を隔てて盤面を向き合わせる状態に対向配置されている。そして、磁石１７８と磁石２１４の磁気カップリングにより、水車１１０の回転の力が回転軸８６を経て排水ボウル３２内の羽根車８８に伝えられ、羽根車８８が水車１１０と一体的に排水ボウル３２内で回転する。つまり、水栓１２の混合部から吐水口１８までの給水流路の水の流れの力を駆動力として、羽根車８８が排水ボウル３２内で強制的に回転駆動せしめられる。
【００４７】
図７は、本実施の形態に係る水車ユニットの分解斜視図である。図７に示すように、水車１１０は、第１部材２０８の下面から下向きに突出する複数の羽根２１２を周方向に沿って複数有している。水車１１０は、その中心部に円筒部２１５と軸部２１６とを有しており、それら円筒部２１５、軸部２１６において、水車ハウジング２６の対応する軸部２１８、円筒部２２０によりそれぞれリング状の軸受部材１９０を介し回転可能に支持されている。
【００４８】
図８は、図５のイ−イ断面図である。図８に示すように、水車ハウジング２６の円筒部２０２に設けられた給水の流入口１２６及び流出口１２８は、それぞれが円筒部２０２の円形の内周面に対して、その接線方向と同方向を向くように設けられている。詳述すると、流入口１２６及び流出口１２８は、流入口１２６及び流出口１２８直近の下流部位、上流部位の接線方向と同方向を向くように配向されている。本実施の形態では、流入口１２６の内部に、水車ハウジング２６とは別体をなすノズル２２２が組み込んである。ノズル２２２は、給水の流速を速めて水車１１０に、具体的には水車１１０の羽根２１２に向けて水流を噴出するものである。このようなノズル２２２を流入口１２６に組み込んでおくことで、水車１１０の回転速度を速め、これにより排水ボウル３２内での羽根車８８の回転速度を速めて、羽根車８８により洗浄水流を効率的に生成させることができる。そしてそのことによって、排水ボウル３２内の洗浄効率を高めることができる。
【００４９】
図９は、本実施の形態に係るノズルの形状を示した図である。図９に示すように、ノズル２２２は、円筒状の本体２２６の基端にフランジ部２２８を有しており、また本体２２６の内側にノズル孔２３０を備えている。また、ノズル２２２は、先端面２３８が斜めにカットされた形状とされている。より詳しくは、ノズル孔２３０の先端の開口２３２にて形成される開口面２３８ｂ、及び円筒状の本体２２６の先端面２３８ａを含む先端面２３８全体が、水車ハウジング２６における円筒部２０２の内周面と同じ曲率で湾曲する円弧形状の面（円弧面）とされている。そして、ノズル２２２は、円弧形状をなす先端面２３８を円筒部２０２の内周面に合致させる状態に（円筒部２０２の内周面Ｐの延長上に先端面２３８が位置する状態に）、流入口１２６内部に向きを定めて組み込まれている。
【００５０】
なお、ノズル２２２は中心軸線周りの位置がずれると、円弧面をなす先端面２３８が円筒部２０２の内周面Ｐと合致しなくなることから、ノズル２２２には位置決めのための凸部２３１が設けてある。一方、流入口１２６の内部には、図７に示すように、対応する位置決用の凹部２３４が設けられており、この凹部２３４に凸部２３１を嵌め合せるようにしてノズル２２２を組み込むことで、ノズル２２２を正しく位置決めした状態で流入口１２６に組み込むことができる。
【００５１】
流入口１２６に組み込むノズル２２２を上記のような形状としておくことで、ノズル孔２３０の先端の開口２３２を可及的に水車１１０の近くに位置させることができ、開口２３２からの噴出流をできるだけ拡散させないで水車１１０の羽根２１２に至近位置から当てることができ、効率的に水車１１０の回転速度を速めることができる。
【００５２】
なお、場合によってノズル孔２３０の先端の開口２３２にて形成される開口面２３８ｂだけを円弧面となしておくこともできる。
【００５３】
また、本実施の形態では、流出口１２８の内部の孔径Ｄが、ノズル２２２におけるノズル孔２３０の孔径ｄよりも大きくしてある。このようにすることで、流入口１２６から水車ハウジング２６内に流入した水が流出口１２８から抜け易くなり、水車ハウジング２６内に流入した水が長く滞留して、これが水車１１０の回転抵抗となってしまうのを防ぐことができる。
【００５４】
流入口１２６に組み込んだ上記のノズル２２２は、給水の流れの流速を高めて水車１１０に当てる働きの他に、水車ハウジング２６と別体に構成されていることによって次のような働きを有する。以下これを具体的に説明する。
【００５５】
本実施の形態では、給水の流量が多くなると、排水ボウル３２内に流入する排水の流量が多くなると同時に、水車１１０の回転速度が増大し、これに伴って排水ボウル３２内での羽根車８８の回転速度が速まる。その結果、排水ボウル３２内での滞留水の増大と、洗浄水流の勢いの増大とが生じ、その程度が一定の限界を超えると、羽根車８８に設けた流出開口１３４からの排水流出（排出）にも拘らず排水ボウル３２内の排水がシンク１０側に溢れてしまう恐れが生ずる。
【００５６】
この場合、羽根車８８が排水ボウル３２内の排水をシンク１０側に溢出させる限界の回転数に達する以前に、水車側磁石２１４と羽根車側磁石１７８との磁気的な連結（磁気カップリング）を切り、水車１１０から羽根車８８への動力伝達を遮断することで、シンク１０側への排水ボウル３２内の排水の溢出（逆流）を防ぐことができる。
【００５７】
本実施の形態ではこれを狙いとして、水車側磁石２１４と羽根車側磁石１７８とを円盤状に構成して、それらを回転軸８６の軸線方向に上下方向に対向状態に配置している。このようにすることで、対向面の面積が小となることにより水車側磁石２１４と羽根車側磁石１７８との磁気的な吸引力を比較的弱く設定することができ、羽根車側磁石１７８が限界回転数に到る前の段階で、羽根車８８に作用する負荷抵抗の増大を利用して、水車側磁石２１４と羽根車側磁石１７８との磁気的な連結を切り易い。
【００５８】
詳しくは、羽根車側磁石１７８が限界回転数（回転速度）に達する以前の設定回転数に達したところで、羽根車側磁石１７８の、水車側磁石２１４に対する回転の同期を失わせて、これを脱調停止させるように、磁気的な吸引力の強度をチューニングし易い。そして、これにより、羽根車側磁石１７８の過回転によるシンク１０側への排水溢れを未然に防ぐことができる。
【００５９】
ここで、水車ハウジング２６とは別体をなすノズル２２２は、ノズル孔２３０の孔径ｄの異なったものと交換することで、同一の給水の流量の下でも水車１１０及び羽根車８８の回転数を異ならせ、そのことで給水量増大時における脱調停止の時期を異ならせ、制御する脱調制御手段としての働きも有する。
【００６０】
次に、羽根車の構成及び作用について詳述する。図１０（Ａ）〜図１０（Ｃ）は、本実施の形態に係る羽根車を示す図である。図１１（Ａ）、図１１（Ｂ）は、本実施の形態に係る羽根車の作用を説明するための図である。
【００６１】
排水ボウル３２の内部に配置された上記の羽根車８８は、図５に示すように中心部にハブ１３０を、外周部に円形のドーナツ環状の板状部１３２を有しており、それらの間に上記の排水口６２に連通した、上下方向に貫通の排水の流出開口１３４を形成している。ここで中心部のハブ１３０と外周部の板状部１３２とは、複数のアーム１３６にて繋がれている。
【００６２】
外周部の環状の板状部１３２は、図１０（Ｂ）に示すように中心側から外周側に向かって上向きに傾斜した形状をなしている。そしてその板状部１３２の下面から垂下する状態に、側面形状及び正面形状が３角形状をなす板状の回転羽根１３８が、周方向に沿って一定間隔ごとに複数設けられている。ここで、回転羽根１３８は、羽根車８８の中心側から放射方向に、即ち回転軸線を中心とする、回転軸線周りの円に対する法線方向に直線状に延びる形状とされている。なお、板状部１３２の内周側の付根部は、全周に亘り板状部１３２の他部よりも厚肉に構成されており、その厚肉部１４０が、図１０（Ｃ）に示すようにアーム１３６とともに下向きに突出せしめられている。
【００６３】
上記ハブ１３０は、これら厚肉部１４０よりも更に下向きに突出せしめられている。ハブ１３０には、図１０（Ｂ）に示すように下向きに開口した嵌込孔１４２が設けられている。嵌込孔１４２は多角形状、ここでは６角形状をなしており、そこに上記の断面円形状の回転軸８６の上端部の多角形状部（ここでは６角形状）が嵌合され、羽根車８８が回転軸８６と一体に回転せしめられるようになっている。
【００６４】
図２及び図３に示すように、羽根車８８は排水ボウル３２における排水口６２の真上位置に配置されており、そして羽根車８８に備えられた複数の回転羽根１３８のそれぞれが、排水ボウル３２における底部６０の上面（底面）、詳しくは底面における排水口６２周りの縁部６０ａよりも全体的に上側に位置せしめられている。
【００６５】
本実施の形態では、使用者が水栓１２のレバーハンドル２０を操作して吐水口１８から吐水し水作業を行うと、吐水口１８から吐水された水（給水された水）はシンク１０にて受けられて、シンク１０の底部３０から図１１に示すように排水ボウル３２の内部へと排水される。
【００６６】
このときシンク１０の底部３０を流れた水（排水）は、排水ボウル３２の内部に流入して、その底部６０へと至る。底部６０に至った排水は、その底部６０に沿って排水口６２に向かう流れとなり、その流れが排水口６２周りの全周から排水口６２に向かって求心方向に流れ込もうとする（その際に排水の流れは排水口６２周りの全周から排水口６２に向かう求心方向の流れとなるために、その流れは羽根車８８を特定の一方向に回転させる力としては働かない）。
【００６７】
このとき、排水ボウル３２内の羽根車８８は、給水管２４内の水の流れの力を駆動力として既に強制的に回転駆動されている。そのため排水ボウル３２内の排水が底部６０に沿って排水口６２に流れ込もうとしたときに、強制駆動で回転する羽根車８８の回転羽根１３８が、その排水の流れに対して回転方向に当たり、排水口６２に向かう排水の流れの抵抗となって排水口６２への流入を妨げ、抑制する。
【００６８】
羽根車８８は、回転羽根１３８によってその流れの抵抗体となるのみならず、自身の回転による遠心力を排水の流れに作用させて、図１１に示すように排水を排水口６２から遠ざかる方向に押し返し、その作用によって排水口６２周りに排水を滞留させる。このような作用のみならず、羽根車８８は、回転羽根１３８によってその滞留水に対し遠心力を働かせることで、撹拌作用を及ぼしつつ渦流等の洗浄水流を生成せしめる。
【００６９】
このとき、本実施の形態の羽根車８８では、外周部に、周方向に環状をなす板状部１３２を備えており、その板状部１３２の下面に回転羽根１３８を設けている。そのため、回転羽根１３８と回転羽根１３８との間の排水は、環状の板状部１３２に遮られて回転羽根１３８と回転羽根１３８との間を上方に抜けることができず、かかる排水に対して羽根車８８の回転による遠心力が効果的に作用せしめられ、排水口６２周りに排水の滞留水が良好に生ぜしめられるとともに、排水による洗浄水流が良好に生成せしめられる。
【００７０】
生成した洗浄水流は排水ボウル３２の内面に勢い良く当たって、その内面に付着するヌメリに至る前の菌とその栄養分や油分その他の汚れを除去し、排水ボウル３２の内面を洗浄する。併せて発生した洗浄水流はごみ籠４２の外面、主としてその下面に当たって、そこに付着した汚れを併せて除去し、洗浄作用する。
【００７１】
洗浄後の水は、その後その一部が羽根車８８の回転継続中に排水口６２を経て排水トラップ３４内に流入し、或いは水栓１２からの給水停止によってその全体が排水口６２から排水トラップ３４へと流入し、更に続いて横向きの排水口５８から排水管５０内に流れ出て、排水管５０を通じ外部に排出される。
【００７２】
なお、羽根車８８、即ち回転羽根１３８による排水の押し返しの量が過剰になると、押し返された排水が排水ボウル３２からシンク１０の底部３０側に溢れてしまう恐れがある。本実施の形態では、滞留水が多量になったときには、その過剰な滞留水が羽根車８８の流出開口１３４を通じて排水口６２内に流出でき（このとき滞留水は羽根車８８における外周部の板状部１３２の上面の案内作用で流出開口１３４に円滑に導かれ、排水口６２内に流出する）、羽根車８８周りに過剰な滞留水が生じて、その排水が羽根車８８による遠心力の作用でシンク１０の底部３０側に溢れる現象を防ぐことができる。
【００７３】
以上のように本実施の形態では、外周部の回転羽根１３８の内側即ち内周側に、排水口６２と連通した、上下方向に貫通の排水の流出開口１３４を羽根車８８に備えているため、排水口６２周りで排水の滞留水が多量に生成したとき、その過剰分を流出開口１３４を通じ排水口６２へと流出することができる。これにより、良好な洗浄水流を発生させるための適正量の滞留水の生成と、良好な排水性能とをバランスさせることができ、排水ボウル３２内を良好に洗浄しつつ、過剰に生成した排水の滞留水が羽根車８８の回転による遠心力の作用でシンク１０側に溢れてしまうのを防ぐことができる。
【００７４】
本実施の形態では、吐水口１８から吐水を行うと羽根車８８が回転して自動的に排水ボウル３２内を洗浄する。従って使用者は排水ボウル３２内を洗浄するための特別の操作を行う必要は無いので、洗浄のために手間を要するといったことが無く、洗浄のための負担は使用者には掛からない。即ち本実施の形態では、使用者が洗浄をしようとする意識をもたなくても、水栓を使用すれば自動的に回転羽根１３８が回って排水ボウル３２内が洗浄される。
【００７５】
また、本実施の形態では、シンク１０で水栓１２を用いて水作業をすると、その排水自体が洗浄水流となって排水ボウル３２内を洗浄するため、上水を洗浄のみのためにだけ吐水する場合と比べて節水を図ることができる。
【００７６】
図１２は、本実施の形態に係る効果を説明するために水車及び羽根車の回転数と水量との関係を模式的に示した図である。図１２の横軸は給水流量、縦軸は水車１１０及び羽根車８８の回転数で、図中に示したＸは、羽根車側磁石１７８が脱調停止する回転数を、またＹは洗浄効果を発揮し始める羽根車８８の回転数をそれぞれ示している。また、ラインＡは、ノズル孔２３０の孔径の小さいノズル２２２を用いた場合の給水流量と回転数との関係を、ラインＢはノズル孔２３０の孔径の大きなノズル２２２を用いたときの給水流量と回転数との関係を示している。
【００７７】
図１２のラインＡ，Ｂに示すように、いずれの場合にも給水流量が増加するのに伴って、水車１１０及び羽根車８８の回転数は増大する。そしてその回転数がＹを超えたところで、羽根車８８の回転による洗浄効果が生じ、更に回転数がＸに到ると、羽根車側磁石１７８が脱調してそこで回転停止する。図１２のラインＡで示すように、孔径の小さなノズル２２２を用いた場合には、流量の比較的僅かな増加で回転数が高まり、従って比較的早い時期から（給水流量が少ない段階で）洗浄効果が生じるとともに、羽根車８８が回転数Ｙに到って脱調停止する際の給水流量もＢで示す場合に比べて相対的に小量である。一方、孔径の大きなノズル２２２を用いた場合には、給水の噴出流の流速が孔径の小さなノズル２２２を用いた場合に比べてそれほど速くならないために、Ａに示す場合に比べて洗浄効果の生じるのが遅くなり、また脱調停止の際の給水流量も大となる。
【００７８】
このように孔径の小さなノズル２２２を用いた場合には、ラインＡに示すように給水流量を増加したときに早い段階で、つまり流量が少なくても羽根車８８の回転による洗浄効果が現れるが、磁石１７８即ち羽根車８８が脱調停止の回転数に到達する時期も早い。他方、孔径の大きなノズル２２２を用いた場合には、ラインＢに示すように洗浄効果の生じるのが遅くなるが、脱調停止の回転数に到達する時期も遅く、洗浄効果を生ぜしめる給水流量のレンジ（Ｒ２）も、ラインＡに示す場合のレンジ（Ｒ１）に比べて広く、大流量でしか発生しない。
【００７９】
例えばキッチンでは日常的に多くの給水量で水栓１２を使う人もあれば、小量の給水量で水栓１２を使う人もある等様々である。そして、それに応じてノズル２２２を交換することで、使用する給水流量の大小に応じて羽根車８８の脱調停止時期を制御することができる。なお、ノズルの交換以外でも、羽根の枚数の異なる水車への交換や、水車の回転時の摩擦を変えるために水車１１０の軸部２１６の材質が異なるものへの交換、などによって、使用する給水流量が異なる使用者のニーズに対応することができる。
【００８０】
（第２の実施の形態）
第１の実施の形態では、脱調停止のタイミングと洗浄効果とを両立する給水流量の範囲を、部品等の交換で実現している。しかしながら、第１の実施の形態に係る排水装置では、抵抗の強い羽根車に交換すると、少ない流量では洗浄効果発揮ラインを超えないため所望の洗浄効果が得られない。一方、抵抗の弱い羽根車に交換すると、多い流量では脱調停止ラインを超えてしまい羽根車の回転が低下し所望の洗浄効果が得られない。この点については、羽根車以外の部品、例えば、ノズルや水車を適宜交換した場合であっても同様である。
【００８１】
そこで、本発明者らは更なる検討を行い、羽根車と連動する水車ユニットを複数設けることで、特段の部品の交換をしなくても、１つの水車ユニットでは対応しきれない広範囲な給水流量に対応できる点に想到した。以下、幾つかの実施の形態を挙げて説明する。
【００８２】
図１３は、第２の実施の形態に係る排水装置の概略を示す模式図である。第２の実施の形態に係る排水装置２５０は、シンク１０の内部で部分的に凹んでいる排水ボウル３２と、排水ボウル３２の底部に形成された排水口６２と、排水口６２の近傍で回転することで洗浄水流を生成させるとともに、排水口６２から下方へ向かう排水の流れを回転数に応じて妨げるように構成された回転体としての羽根車８８と、シンク１０で用いる水を供給する給水機構２５２と、を備える。
【００８３】
給水機構２５２において、一次側の給水管２５４からの水が、混合部を経て二次側の給水管２５６，２５８を通過し、第１の水栓２６０から吐出される。また、同様に、一次側の給水管２６２からの水が、混合部を経て二次側の給水管２６４，２６６を通過し、第２の水栓２６８から吐出される。
【００８４】
そして、第１の水車２７０は、第１の経路である給水管２５６と給水管２５８との間に設けられている。また、第２の水車２７２は、第２の経路である給水管２６４と給水管２６６との間に設けられている。また、排水装置２５０は、第１の水車２７０及び第２の水車２７２の少なくとも一方の回転力を羽根車８８に伝達する回転力伝達機構２７４を備えている。
【００８５】
図１４は、回転力伝達機構の一例を説明するための要部断面図である。なお、水車を２つ設けた以外は、第１の実施の形態に係る排水装置と略同様である。本実施の形態では、羽根車８８と回転軸８６を介して連結されている取付部材１８０と水車１１０との間に、もう一つ別の水車２７６が設けられている。
【００８６】
そして、回転力伝達機構２７４は、羽根車８８と一体的に回転するように設けられた羽根車側磁石１７８と、水車２７６と一体的に回転するように設けられた水車側磁石２７８と、水車１１０と一体的に回転するように設けられた水車側磁石２１４と、を備えている。ここで、羽根車側磁石１７８、水車側磁石２７８及び水車側磁石２１４は、隣接する磁石にトルク伝達が可能な磁気的吸引力が働く間隔で排水装置２５０の上下方向に沿って配置されている。これにより、第１の水栓２６０への二次側の給水管２５６，２５８と、第２の水栓２６８への二次側の給水管２６４，２６６とを確実に隔てながら、回転力を伝達できる。なお、第２の実施の形態では、回転力伝達機構２７４が備える各磁石が排水装置２５０の上下方向に沿って配置されている場合について説明しているが、各磁石の配置は回転力伝達機構の機能を実現できるのであれば、このような場合に限られない。例えば、各磁石を、隣接する磁石にトルク伝達が可能な磁気的吸引力が働く間隔で排水装置の左右方向（円周方向）に沿って配置してもよい。
【００８７】
図１５は、第２の実施の形態に係る水車及び羽根車の回転数と水量との関係を模式的に示した図である。
【００８８】
例えば、第１の水栓２６０の適正流量が８〜１１［Ｌ／ｍｉｎ］（図１５の範囲Ｒ４）、第２の水栓２６８の適正流量が３〜５［Ｌ／ｍｉｎ］（図１５の範囲Ｒ３）の場合について検討する。排水装置２５０が、給水流量が５〜１２［Ｌ／ｍｉｎ］（図１５の範囲Ｒ２）の場合に羽根車８８が適正な範囲で回転するように構成された第１の水車２７０と、給水流量が３〜６［Ｌ／ｍｉｎ］（図１５の範囲Ｒ１）の場合に羽根車８８が適正な範囲で回転するように構成された第２の水車２７２と、を備えていれば、給水流量が３〜１２［Ｌ／ｍｉｎ］の範囲で、羽根車８８を適正な回転数で回すことが可能となる。ここで、第１の水車２７０は、第２の水車２７２と比較して同じ給水流量での回転数が異なるように構成されている。
【００８９】
このように、第１の水車２７０または第２の水車２７２のいずれかが適正に回転する給水流量であれば、適正な回転力が回転体に伝達され、広範な範囲の給水流量に対して、排水ボウル３２で洗浄水流を効率的に生成することができる。
【００９０】
また、排水装置２５０は、第１の水栓２６０への二次側の給水管２５６，２５８及び第２の水栓２６８への二次側の給水管２６４，２６６は、一方を通過した水が他方を通過しないでシンク１０に給水されるように構成されている。これにより、例えば、各給水管に接続された複数の水栓のそれぞれに適した水車を用いることが容易となる。
【００９１】
（第３の実施の形態）
図１６は、第３の実施の形態に係る排水装置の概略を示す模式図である。なお、上述のの実施の形態に係る排水装置と同様の構成については同じ符号を付して説明を適宜省略する。
【００９２】
第３の実施の形態に係る排水装置２８０は、一次側の給水管２５４が途中で分岐されており、一部の水が、第２の水栓２６８へ向かう第２の経路２８２へ流れ込む構成となっている。第２の経路２８２には第２の水車２７２が設けられている。また、第２の水車２７２を通過した水が第２の水栓２６８に向かう途中には、改質装置２８４が設けられており、浄水や除菌水が生成される。改質装置２８４は、低流量で動作するものであればあるほどサイズダウンが可能でコストも低減できる。そこで、本実施の形態に係る排水装置２８０は、第２の水車２７２として、給水流量が低流量（例えば、０．５［Ｌ／ｍｉｎ］程度）の場合でも、適正な範囲で回転するものが選択されている。
【００９３】
図１７は、第３の実施の形態に係る水車及び羽根車の回転数と水量との関係を模式的に示した図である。図１７に示すように、第１の水栓２６０は、適正流量が３〜６［Ｌ／ｍｉｎ］（図１７の範囲Ｒ２）のものを用い、第２の水栓２６８は、適正流量が０．５［Ｌ／ｍｉｎ］前後（図１７の範囲Ｒ１）のものを用いればよい。
【００９４】
また、排水装置２８０は、第１経路（給水管２５４，２５６）を経た水が吐出される第１の水栓２６０と、第２の経路２８２を経た水が第１経路を経た水と混ざらずに吐出される第２の水栓２６８と、を有している。これにより、用途や適正流量が異なる水栓を用いることができる。特に、第２の水栓２６８として改質水栓を用いる場合には、クロスコネクションを防ぐために、このように複数経路を通過した水が合流しない給水経路が好ましい。
【００９５】
（第４の実施の形態）
図１８は、第４の実施の形態に係る排水装置の概略を示す模式図である。なお、上述の実施の形態に係る排水装置と同様の構成については同じ符号を付して説明を適宜省略する。
【００９６】
第４の実施の形態に係る排水装置２９０は、二次側の給水管２５６が途中で三方弁２９２を介して分岐されており、給水管２５６Ａを通過した水が第１の水車２７０を回転させ、給水管２５６Ｂを通過した水が第２の水車２７２を回転させる。その後、第１の水車２７０の水車を通過した水と第２の水車２７２を通過した水とは、それぞれ給水管２５８Ａ，２５８Ｂを介して合流した後、第１の水栓２６０から吐出される。
【００９７】
このように、本実施の形態に係る給水機構２５２は、第１経路（給水管２５６Ａ，２５８Ａ）及び第２経路（２５６Ｂ，２５８Ｂ）へ流す水の流量を調整する調整弁としての三方弁２９２と、第１の水栓２６０から吐出される水の流量と相関のある流量情報を検出する検出手段（例えば、流量センサや水栓の開度を検出するセンサ。不図示）と、検出した流量情報に基づいて三方弁２９２の開閉切替えまたは開度を制御する制御手段（不図示）と、を有している。これにより、１つの水栓から吐出された小流量から大流量までの排水で適正な洗浄効果が得られる。
【００９８】
図１９は、第４の実施の形態に係る水車及び羽根車の回転数と水量との関係を模式的に示した図である。
【００９９】
例えば、第１の水栓２６０の適正流量が２〜１０［Ｌ／ｍｉｎ］（図１９の範囲Ｒ３）の場合について検討する。排水装置２９０が、給水流量が４〜１０［Ｌ／ｍｉｎ］（図１９の範囲Ｒ２）の場合に羽根車８８が適正な範囲で回転するように構成された第１の水車２７０と、給水流量が２〜５［Ｌ／ｍｉｎ］（図１９の範囲Ｒ１）の場合に羽根車８８が適正な範囲で回転するように構成された第２の水車２７２と、を備えていれば、給水流量が２〜１０［Ｌ／ｍｉｎ］の範囲で、羽根車８８を適正な回転数で回すことが可能となる。このように、１つの給水経路を途中で分岐し、複数の水車に向けて適切な配分で水を流すことで、１つの水栓から吐出された小流量から大流量までの排水で適正な洗浄効果が得られる。
【０１００】
以上、本発明を上述の各実施の形態を参照して説明したが、本発明は上述の各実施の形態に限定されるものではなく、各実施の形態の構成を適宜組み合わせたものや置換したものについても本発明に含まれるものである。また、当業者の知識に基づいて各実施の形態における組合せや処理の順番を適宜組み替えることや各種の設計変更等の変形を各実施の形態に対して加えることも可能であり、そのような変形が加えられた実施の形態も本発明の範囲に含まれうる。
【産業上の利用可能性】
【０１０１】
本発明はシンクを備えた流し台等に利用可能である。
【符号の説明】
【０１０２】
１０  シンク、  １２  水栓、  ２２，２４  給水管、  ２５  水車ユニット、  ２６  水車ハウジング、  ３２  排水ボウル、  ３６  外筒、  ４６  内筒、  ８６  回転軸、  ８８  羽根車、  １１０  水車、  １３８  回転羽根、  １７８  羽根車側磁石、  １８０  取付部材、  ２１４  水車側磁石、  ２５０  排水装置、  ２５２  給水機構、  ２５４，２５６，２５８  給水管、  ２６０  第１の水栓、  ２６８  第２の水栓、  ２７０  第１の水車、  ２７２  第２の水車、  ２７４  回転力伝達機構、  ２７８  水車側磁石、  ２８４  改質装置、  ２９０  排水装置、  ２９２  三方弁。
【図１】
2015178731.tif 000003
【図２】
2015178731.tif 000004
【図３】
2015178731.tif 000005
【図４】
2015178731.tif 000006
【図５】
2015178731.tif 000007
【図６】
2015178731.tif 000008
【図７】
2015178731.tif 000009
【図８】
2015178731.tif 000010
【図９】
2015178731.tif 000011
【図１０】
2015178731.tif 000012
【図１１】
2015178731.tif 000013
【図１２】
2015178731.tif 000014
【図１３】
2015178731.tif 000015
【図１４】
2015178731.tif 000016
【図１５】
2015178731.tif 000017
【図１６】
2015178731.tif 000018
【図１７】
2015178731.tif 000019
【図１８】
2015178731.tif 000020
【図１９】
2015178731.tif 000021